(57)【要約】【課題】穀物粒から直接パンを製造することができる自動製パン機を提供する。【解決手段】自動製パン機１の本体１０内に設けられた焼成室４０には、底部にブレード回転軸５２を設けたパン容器５０が挿入される。ブレード回転軸５２には混練・粉砕兼用ブレード７０Ａが装着される。混練・粉砕兼用ブレード７０Ａは固定ブレード７２と可動ブレード７３を有し、ブレード回転軸５２が逆方向に回転するときは固定ブレード７２と可動ブレード７３それぞれの縁に形成した粉砕用エッジ７４で穀物粒の粉砕を行う。ブレード回転軸５２が正方向に回転すると、可動ブレード７３が起立状態となり、混練・粉砕兼用ブレード７０Ａは製パン原料の混練を行う。【選択図】図５
2011050576.tif 000002
【特許請求の範囲】
【請求項１】
製パン原料を入れたパン容器を本体内の焼成室に受け入れ、前記製パン原料の混練工程、発酵工程、及び焼成工程を遂行する自動製パン機において、
前記パン容器の底部に設けたブレード回転軸に混練・粉砕兼用ブレードを装着し、前記混練・粉砕兼用ブレードは、前記ブレード回転軸が正方向に回転したときに混練を行い、前記ブレード回転軸が逆方向に回転したときに粉砕を行うことを特徴とする自動製パン機。
【請求項２】
前記混練・粉砕兼用ブレードは、一方の縁に粉砕用エッジを形成した起倒可能な可動ブレードを備え、前記可動ブレードは、前記ブレード回転軸が正方向に回転したときは起立姿勢となり、前記ブレード回転軸が逆方向に回転したときは水平姿勢となることを特徴とする請求項１に記載の自動製パン機。
【請求項３】
前記可動ブレードの前記粉砕用エッジとは逆の縁に、一方の面が下向き斜面、他方の面が上向き斜面となった傾斜部を形成し、前記傾斜部は、前記ブレード回転軸が正方向に回転したときは前記パン容器内の製パン原料から受ける圧力を当該可動ブレードの起立モーメントに転換し、前記ブレード回転軸が逆方向に回転したときは前記パン容器内の製パン原料から受ける圧力を当該可動ブレードの水平維持モーメントに転換することを特徴とする請求項２に記の載の自動製パン機。
【請求項４】
前記混練・粉砕兼用ブレードは、一方の縁に粉砕用エッジを形成した固定ブレードを備え、前記固定ブレードは前記粉砕用エッジとは逆の縁に混練用押圧面を有し、前記粉砕用エッジと前記混練用押圧面の上端との間は傾斜面となっていることを特徴とする請求項１に記載の自動製パン機。
【発明の詳細な説明】
【技術分野】
【０００１】
本発明は、主として一般家庭で使用される自動製パン機に関する。
【背景技術】
【０００２】
市販の家庭用自動製パン機は、製パン原料を入れたパン容器を本体内の焼成室に入れ、パン容器内の製パン原料を混練ブレードで混練して捏ね上げ、発酵工程を経た後、パン容器をそのままパン焼き型としてパンを焼き上げる仕組みのものが一般的である。特許文献１に自動製パン機の一例を見ることができる。
【０００３】
製パン原料にレーズンやナッツ等の具材を混ぜ、具材入りパンを焼くこともある。特許文献２には、レーズン、ナッツ類、チーズ等の製パン副材料を自動的に投入する手段を備えた自動製パン機が記載されている。
【先行技術文献】
【特許文献】
【０００４】
【特許文献１】特開２０００−１１６５２６号公報
【特許文献２】特許第３１９１６４５号公報
【発明の概要】
【発明が解決しようとする課題】
【０００５】
パンを製造する場合、これまでは、小麦や米などの穀物を製粉した粉や、それに各種補助原料を混ぜたミックス粉を入手するところから始めなければならなかった。手元に穀物粒（典型的なものは米）があっても、それから直接パンを製造することは困難であった。
【０００６】
本発明は上記の点に鑑みなされたものであり、穀物粒から直接パンを製造するのに便利な仕組みを備えた自動製パン機を提供し、パン製造をより身近なものにすることを目的とする。
【課題を解決するための手段】
【０００７】
上記目的を達成するために本発明は、製パン原料を入れたパン容器を本体内の焼成室に受け入れ、前記製パン原料の混練工程、発酵工程、及び焼成工程を遂行する自動製パン機において、前記パン容器の底部に設けたブレード回転軸に混練・粉砕兼用ブレードを装着し、前記混練・粉砕兼用ブレードは、前記ブレード回転軸が正方向に回転したときに混練を行い、前記ブレード回転軸が逆方向に回転したときに粉砕を行うことを特徴としている。
【０００８】
この構成によると、パン容器内に穀物粒を入れてそれを混練・粉砕兼用ブレードで粉砕することにより、パン容器内で製パン原料を製造することができる。その後、混練・粉砕兼用ブレードで製パン原料の混練を実施し、さらに発酵、焼成と工程を進めて行くことができる。パン容器内で粉砕した穀物粒を、そのままパン容器内でパンに焼き上げることができるから、他の容器内で穀物粒を粉砕してからパン容器に移すのと異なり、他の容器に残留してパン容器に入らないという、移し替えに伴うロスが発生しない。また、穀物粒の粉砕からパンの焼き上がりまで、混練・粉砕兼用ブレードをパン容器の中に入れたままにしておける上、ブレード回転軸の回転方向を逆転させるだけで粉砕と混練を切り換えることができるから、操作が簡単である。
【０００９】
また本発明は、上記構成の自動製パン機において、前記混練・粉砕兼用ブレードは、一方の縁に粉砕用エッジを形成した起倒可能な可動ブレードを備え、前記可動ブレードは、前記ブレード回転軸が正方向に回転したときは起立姿勢となり、前記ブレード回転軸が逆方向に回転したときは水平姿勢となることを特徴としている。
【００１０】
この構成によると、混練・粉砕兼用ブレードを、可動ブレードを起立させるかまたは水平にするという簡単な構成で、混練時には混練にふさわしい形状とし、粉砕時には粉砕にふさわしい形状とすることができる。
【００１１】
また本発明は、上記構成の自動製パン機において、前記可動ブレードの前記粉砕用エッジとは逆の縁に、一方の面が下向き斜面、他方の面が上向き斜面となった傾斜部を形成し、前記傾斜部は、前記ブレード回転軸が正方向に回転したときは前記パン容器内の製パン原料から受ける圧力を当該可動ブレードの起立モーメントに転換し、前記ブレード回転軸が逆方向に回転したときは前記パン容器内の製パン原料から受ける圧力を当該可動ブレードの水平維持モーメントに転換することを特徴としている。
【００１２】
この構成によると、ブレード回転軸の回転方向に応じて、混練・粉砕兼用ブレードの形状が自動的に変わるから、混練・粉砕兼用ブレードの形状変更に手間がかからない。
【００１３】
また本発明は、上記構成の自動製パン機において、前記混練・粉砕兼用ブレードは、一方の縁に粉砕用エッジを形成した固定ブレードを備え、前記固定ブレードは前記粉砕用エッジとは逆の縁に混練用押圧面を有し、前記粉砕用エッジと前記混練用押圧面の上端との間は傾斜面となっていることを特徴としている。
【００１４】
この構成によると、混練・粉砕兼用ブレードに可動部分がないため設計製作が容易であり、堅牢である。混練・粉砕兼用ブレードの洗浄も容易である。
【発明の効果】
【００１５】
本発明によると、手持ちの穀物粒を用いてパンを焼き上げることができ、穀物粉を買い求める必要がなくなる。米の場合で言えば、玄米から白米まで、好みの精白度の米でパンを焼くことができる。そして、穀物粒の粉砕からパンの焼成までを、一貫して焼成室内のパン容器の中で行うことができるから、パン生地に異物が混入する危険が少ない。さらに、他の容器内で穀物粒を粉砕してからパン容器に移すのと異なり、粉砕穀物粒が他の容器に付着して残るという、移し替えに伴うロスが発生しない。また、穀物粒の粉砕からパンの焼き上がりまで、混練・粉砕兼用ブレードをパン容器の中に入れたままにしておける上、ブレード回転軸の回転方向を逆転させるだけで粉砕と混練を切り換えることができるから、取り扱いが簡単である。
【図面の簡単な説明】
【００１６】
【図１】本発明の第１実施形態である自動製パン機の垂直断面図である。
【図２】図１の自動製パン機を図１と直角の方向に断面した垂直断面図である。
【図３】図１の自動製パン機の上面図である。
【図４】図１と同様の垂直断面図にして、混練工程時の状態を示すものである。
【図５】図４の状態の自動製パン機を図３と直角の方向に断面した垂直断面図である。
【図６】図４の状態の自動製パン機の上面図である。
【図７】自動製パン機の制御ブロック図である。
【図８】第１態様パン製造工程の全体フローチャートである。
【図９】第１態様パン製造工程の粉砕前含浸工程のフローチャートである。
【図１０】第１態様パン製造工程の粉砕工程のフローチャートである。
【図１１】第１態様パン製造工程の混練工程のフローチャートである。
【図１２】第１態様パン製造工程の発酵工程のフローチャートである。
【図１３】第１態様パン製造工程の焼成工程のフローチャートである。
【図１４】第２態様パン製造工程の全体フローチャートである。
【図１５】第２態様パン製造工程の粉砕後含浸工程のフローチャートである。
【図１６】第３態様パン製造工程の全体フローチャートである。
【図１７】本発明の第２実施形態である自動製パン機の垂直断面図である。
【図１８】図１７の自動製パン機を図７と直角の方向に断面した垂直断面図である。
【図１９】図１７の自動製パン機の上面図である。
【発明を実施するための形態】
【００１７】
以下に本発明の実施形態を、図面を参照しつつ説明する。図１において、図の左側が自動製パン機１の正面（前面）側、図の右側が自動製パン機１の背面（後面）側である。また、自動製パン機１に正面から向き合った観察者の左手側が自動製パン機１の左側、右手側が自動製パン機１の右側であるものとする。
【００１８】
自動製パン機１は合成樹脂製の外殻により構成される箱形の本体１０を有する。本体１０の上部には運搬用のハンドル１１が取り付けられている。本体１０の上面前部には操作部２０が設けられる。操作部２０には、図３に示す通り、パンの種類（小麦粉パン、米粉パン、具材入りパンなど）の選択キー、調理内容の選択キー、タイマーキー、スタートキー、取り消しキーなどといった操作キー２１の一群と、設定された調理内容やタイマー予約時刻などを表示する表示部２２が設けられている。表示部２２は液晶表示パネルにより構成される。
【００１９】
操作部２０から後ろの本体上面は合成樹脂製の蓋３０で覆われる。蓋３０は図示しない蝶番軸で本体１０の背面側の縁に取り付けられており、その蝶番軸を支点として垂直面内で回動する。
【００２０】
本体１０の内部には焼成室４０が設けられる。焼成室４０は板金製で、上面が開口しており、ここからパン容器５０が入れられる。焼成室４０は水平断面矩形の周側壁４０ａと底壁４０ｂを備える。
【００２１】
本体１０の内部には板金製の基台１２が設置されている。基台１２には、焼成室４０の中心にあたる箇所に、アルミニウム合金のダイキャスト成型品からなるパン容器支持部１３が固定されている。パン容器支持部１３の内部は焼成室４０の内部に露出している。
【００２２】
パン容器支持部１３の中心には原動軸１４が垂直に支持されている。原動軸１４の下端にはプーリ１５が固定されている。
【００２３】
プーリ１５を回転させるのは基台１２に支持されたモータ６０である。モータ６０は竪軸であって、下面から出力軸６１が突出する。出力軸６１には、プーリ１５にベルト６３で連結するプーリ６２が固定されている。
【００２４】
パン容器支持部１３は、パン容器５０の底面に固定された筒状の台座５１を受け入れてパン容器５０を支える。台座５１もアルミニウム合金のダイキャスト成型品である。
【００２５】
パン容器５０は板金製で、バケツのような形状をしており、口縁部には手提げ用のハンドル（図示せず）が取り付けられている。パン容器５０の水平断面は四隅を丸めた矩形であり、四辺のうち対向する二辺の内面には、垂直方向に延びるうね状の突部５０ａが形成されている。
【００２６】
パン容器５０の底部中心にはブレード回転軸５２（図２参照）が、シール対策を施した上で垂直に支持されている。ブレード回転軸５２には、原動軸１４よりカップリング５３を介して回転力が伝えられる。カップリング５３を構成する２部材のうち、一方の部材はブレード回転軸５２の下端に固定され、他方の部材は原動軸１４の上端に固定される。カップリング５３の全体は台座５１とパン容器支持部１３に囲い込まれる。
【００２７】
パン容器支持部１３の内周面と台座５１の外周面には、それぞれ図示しない突起が形成される。これらの突起は周知のバヨネット結合を構成する。すなわちパン容器５０をパン容器支持部１３に取り付ける際、台座５１の突起がパン容器支持部１３の突起に干渉しないようにしてパン容器５０を下ろし、台座５１がパン容器支持部１３にはまり込んだ後、パン容器５０を水平にひねると、パン容器支持部１３の突起の下面に台座５１の突起が係合して、パン容器５０が上方に抜けなくなるようにする。この操作で、カップリング５３の連結も同時に達成されるようにする。パン容器５０の取り付け時ひねり方向は後述する混練・粉砕兼用ブレードの混練時の回転方向に一致させ、混練によってパン容器５０が外れないようにしておく。
【００２８】
焼成室４０の内部に配置された加熱装置４１がパン容器５０を包囲し、製パン原料を加熱する。加熱装置４１はシーズヒータにより構成される。
【００２９】
ブレード回転軸５２の上端には混練・粉砕兼用ブレード７０Ａが装着される。混練・粉砕兼用ブレード７０Ａは、ブレード回転軸５２に回転不能に嵌合するハブ７１と、ハブ７１の一方の側面から水平方向に突出する固定ブレード７２と、ハブ７１の他方の側面から水平方向に突出する可動ブレード７３により構成される。固定ブレード７２と可動ブレード７３には、ブレード回転軸５２が上から見て反時計方向に回転したときに前縁となる側の縁に粉砕用エッジ７４が形成されている。
【００３０】
可動ブレード７３は支軸７５によってハブ７１に回動可能に取り付けられており、図１から図３に示す水平姿勢と、図４から図６に示す起立姿勢に姿勢変換可能である。可動ブレード７３には、粉砕用エッジ７４とは逆の縁に、一方の面が下向き斜面、他方の面が上向き斜面となった傾斜部７６が形成されている。ブレード回転軸５２が上から見て時計方向に回転したとき（この回転方向を本明細書では「正方向」と称する）、傾斜部７６は、パン容器５０内の製パン原料から受ける圧力を可動ブレード７３の起立モーメントに転換し、その結果、水平姿勢であった可動ブレード７３は垂直に起立することになる。ブレード回転軸５２が上から見て反時計方向に回転したとき（この回転方向を本明細書では「逆方向」と称する）、傾斜部７６は、パン容器５０内の製パン原料から受ける圧力を可動ブレード７３の水平維持モーメントに転換し、その結果、可動ブレード７３は水平姿勢を維持する。
【００３１】
ハブ７１の下面には、それを直径方向に横断する溝（図示せず）が形成されている。ブレード回転軸５２を水平に貫く図示しないピンがハブ７１を受け止め、また前記溝に係合して、ハブ７１をブレード回転軸５２に対し回転不能に結合する。混練・粉砕兼用ブレード７０Ａはブレード回転軸５２から簡単に引き抜くことができるので、製パン作業後の洗浄や、粉砕用エッジ７４の切れ味が悪くなったときの交換を手軽に行うことができる。
【００３２】
自動製パン機１の動作制御は、図７に示す制御装置８０によって行われる。制御装置８０は本体１０内の適所（焼成室４０の熱の影響を受けにくい箇所が望ましい）に配置された回路基板により構成され、操作部２０及び加熱装置４１の他、モータ６０のモータドライバ８１及び温度センサ８３が接続される。温度センサ８３は焼成室４０内に配置され、焼成室４０の温度を検知する。８４は各構成要素に電力を供給する商用電源である。
【００３３】
続いて、自動製パン機１を用いて穀物粒からパンを製造する工程を、図８から図１６までの図を参照しつつ説明する。その中で、図８から図１３までの図に示すのが第１態様パン製造工程である。
【００３４】
図８は第１態様パン製造工程の全体フローチャートである。図８では、粉砕前含浸工程＃１０、粉砕工程＃２０、混練工程＃３０、発酵工程＃４０、焼成工程＃５０の順で工程が進行する。続いて、各工程の内容を説明する。
【００３５】
図９に示す粉砕前含浸工程＃１０では、まずステップ＃１１において、使用者が穀物粒を計量し、所定量をパン容器５０に入れる。穀物粒としては米粒が最も入手しやすいが、それ以外の穀物、例えば小麦、大麦、粟、稗、蕎麦、とうもろこしなどの粒も利用可能である。
【００３６】
ステップ＃１２では使用者が液体を計量し、所定量をパン容器５０に入れる。液体として一般的なのは水であるが、だし汁のような味成分を有する液体でもよく、果汁でもよい。アルコールを含有していてもよい。なおステップ＃１１とステップ＃１２は順序が入れ替わっても構わない。
【００３７】
パン容器５０に穀物粒と液体を入れる作業は、パン容器５０を焼成室４０から出して行ってもよく、パン容器５０を焼成室４０に入れたまま行ってもよい。
【００３８】
焼成室４０内のパン容器５０に穀物粒と液体を入れたら、あるいは外部で穀物粒と液体を入れたパン容器５０をパン容器支持部１３に取り付けたら、蓋３０を閉じる。ここで使用者は操作部２０の中の所定の操作キーを押し、液体含浸のタイムカウントをスタートさせる。この時点からステップ＃１３が始まる。
【００３９】
ステップ＃１３では穀物粒と液体の混合物をパン容器５０内で静置し、穀物粒に液体を含浸させる。一般的に、液体温度が高くなるほど含浸が促進されるので、加熱手段４１に通電して焼成室４０の温度を高めるようにしてもよい。
【００４０】
ステップ＃１４では穀物粒と液体の静置を開始してからどれだけ時間が経過したかを制御装置８０がチェックする。所定時間が経過したら粉砕前含浸工程＃１０は終了する。このことは、操作部２０における表示や、音声などで使用者に報知される。
【００４１】
粉砕前含浸工程＃１０に続き、図１０に示す粉砕工程＃２０が遂行される。使用者が操作部２０を通じ粉砕作業データ（穀物粒の種類や量、これから焼くパンの種類など）を入力し、スタートキーを押すと、ステップ＃２１が開始される。
【００４２】
ステップ＃２１では制御装置８０がモータ６０を駆動し、ブレード回転軸５２を逆方向に回転させる。すると、穀物粒と液体の混合物の中で混練・粉砕兼用ブレード７０Ａが回転を開始する。混練・粉砕兼用ブレード７０Ａは、固定ブレード７２と可動ブレード７３の粉砕用エッジ７４で穀物粒を粉砕する。可動ブレード７３はこの時水平姿勢を保っている。混練・粉砕兼用ブレード７０Ａによる粉砕は、穀物粒に液体が浸み込んだ状態で行われるから、穀物粒を芯まで容易に粉砕することができる。
【００４３】
ステップ＃２２では、所望の粉砕穀物粒を得るために設定通りの粉砕パターン（粉砕ブレードを連続回転させるか、停止期間を織り交ぜて断続回転させるか、断続回転させる場合、どのようにインターバルをとるか、回転時間の長さをどのようにするか等）が完遂されたかどうかを制御装置８０がチェックする。
【００４４】
設定通りの粉砕パターンが完遂されたらステップ＃２３に進んで混練・粉砕兼用ブレード７０Ａの回転を終了し、粉砕工程＃２０は終了する。このことは、表示部２２における表示や、音声などで使用者に報知される。
【００４５】
以上の説明では、粉砕前含浸工程＃１０の後、使用者の操作で粉砕工程＃２０が開始されるものとしたが、使用者が粉砕前含浸工程＃１０の前か、粉砕前含浸工程＃１０の途中で粉砕作業データを入力すれば、粉砕前含浸工程＃１０の終了後、自動的に粉砕工程＃２０が開始されるように構成してもよい。また、使用者が最初の段階でスタートキーを押せば、例えば第１態様パン製造工程の場合、粉砕前含浸行程＃１０で穀物粒と液体のセッティング完了後にスタートキーを押せば、最後の焼成行程＃５０まで全自動で製パン作業が進行するように構成してもよい。
【００４６】
粉砕工程＃２０に続き、図１１に示す混練工程＃３０が遂行される。混練工程＃３０に入る時点では、パン容器５０の中の穀物粒と液体は、ペースト状またはスラリー状の生地原料となっている。なお本明細書では、混練工程＃３０の開始時点のものを「生地原料」と呼称し、混練が進行して目的とする生地の状態に近づいたものは、半完成状態であっても「生地」と呼称することとする。
【００４７】
ステップ＃３１では使用者が蓋３０を開け、生地原料に所定量のグルテンを投入する。必要に応じ、食塩、砂糖、ショートニングといった調味材料も投入する。自動製パン機１にグルテンや調味材料の自動投入装置を設けておき、使用者の手を煩わすことなくそれらを投入する構成にすることもできる。
【００４８】
使用者は、ステップ＃３１に前後して、操作部２０よりパンの種類や調理内容の入力を行う。準備が整ったところで使用者がスタートキーを押すと、混練工程＃３０から発酵工程＃４０、さらに焼成工程＃５０へと自動的に連続する製パン作業が開始される。
【００４９】
ステップ＃３２では、制御装置８０がモータ６０を駆動し、ブレード回転軸５２を正方向に回転させる。すると混練・粉砕兼用ブレード７０Ａの可動ブレード７３が起立姿勢になり、混練を開始する。
【００５０】
ここで制御装置８０は、加熱装置４１に通電し、焼成室４０の温度を上げる。混練・粉砕兼用ブレード７０Ａが回転するに従い生地原料は混練され、所定の弾力を備える、一つにつながった生地（dough）に練り上げられて行く。混練・粉砕兼用ブレード７０Ａが生地を振り回してパン容器５０の内壁にたたきつけることにより、混練に「捏ね」の要素が加わることになる。パン容器５０の内壁に形成された突部５０ａが「捏ね」を助ける。
【００５１】
ステップ＃３３では混練開始以来どれだけ時間が経過したかを制御装置８０がチェックする。所定時間が経過したらステップ＃３４に進む。
【００５２】
ステップ＃３４では使用者が蓋３０を開け、生地にイースト菌を投入する。この時生地に投入するイースト菌はドライイーストでよい。イースト菌の代わりにベーキングパウダーを用いてもよい。イースト菌やベーキングパウダーについても自動投入装置を採用し、使用者の手間を省くことができる。
【００５３】
ステップ＃３５では生地にイースト菌を投入してからどれだけ時間が経過したかを制御装置８０がチェックする。所望の生地を得るのに必要な時間が経過したらステップ＃３６へ進んで混練・粉砕兼用ブレード７０Ａの回転が終了する。この時点で、一つにつながり、所要の弾力を備えた生地が完成している。
【００５４】
具材入りパンを焼く場合は、混練工程＃３０のいずれかのステップで具材を投入する。具材投入についても自動投入装置の採用が可能である。
【００５５】
混練工程＃３０に続き、図１２に示す発酵工程＃４０が遂行される。ステップ＃４１では混練工程３０を経た生地が発酵環境に置かれる。すなわち制御装置８０は焼成室４０を、必要があれば加熱装置４１に通電して、発酵が進む温度帯とする。使用者は生地を、必要に応じ形を整えて静置する。
【００５６】
ステップ＃４２では生地を発酵環境に置いてからどれだけ時間が経過したかを制御装置８０がチェックする。所定時間が経過したら発酵工程＃４０は終了する。
【００５７】
発酵工程＃４０に続き、図１３に示す焼成工程＃５０が遂行される。ステップ＃５１では発酵した生地が焼成環境に置かれる。すなわち制御装置８０はパン焼きに必要な電力を加熱装置４１に送り、焼成室４０の温度をパン焼き温度帯まで上昇させる。
【００５８】
ステップ＃５２では生地を焼成環境に置いてからどれだけ時間が経過したかを制御装置８０がチェックする。所定時間が経過したら焼成工程＃５０は終了する。ここで表示部２２における表示または音声により製パン完了の報知がなされるので、使用者は蓋３０を開けてパン容器５０を取り出す。そしてパン容器５０からパンを取り出す。
【００５９】
続いて第２態様製パン工程を図１４と図１５に基づき説明する。図１４は第２態様パン製造工程の全体フローチャートである。図１４では、粉砕工程＃２０、粉砕後含浸工程＃６０、練り工程＃３０、発酵工程＃４０、焼成工程＃５０の順で工程が進行する。続いて、図１５に基づき粉砕後含浸工程＃６０の内容を説明する。
【００６０】
ステップ＃６１では、粉砕工程＃２０で形成された生地原料がパン容器５０の内部で静置される。この生地原料は、粉砕前含浸工程を経ていなかったものである。静置されている間に、粉砕穀物粒に液体が浸み込んで行く。制御装置８０は必要に応じ加熱装置４１に通電して生地原料を加熱し、含浸を促進する。
【００６１】
ステップ＃６２では静置開始以来どれだけ時間が経過したかを制御装置８０がチェックする。所定時間が経過したら粉砕後含浸工程＃６０は終了する。粉砕後含浸工程＃６０が終了すれば自動的に混練工程＃３０に移行する。混練工程＃３０以降の工程は第１態様製パン工程と同じである。
【００６２】
続いて第３態様製パン工程を図１６に基づき説明する。図１６は第３態様パン製造工程の全体フローチャートである。ここでは、粉砕工程＃２０の前に第１態様の粉砕前含浸工程＃１０を置き、粉砕工程＃２０の後に第２態様の粉砕後含浸工程６０を置いている。混練工程３０以降の工程は第１態様製パン工程と同じである。
【００６３】
混練・粉砕兼用ブレード７０Ａは、穀物粒を粉砕するだけでなく、ナッツ類や葉物野菜などの具材の細片化にも用いることができる。このため、粒の細かい具材を入れたパンを焼くことができる。混練・粉砕兼用ブレード７０Ａは、パンに混ぜる具材以外の食材や、生薬原料の粉砕にも利用できる。
【００６４】
続いて本発明の第２実施形態を図１７から図１９に基づき説明する。第２実施形態で用いられている混練・粉砕兼用ブレード７０Ｂは、第１実施形態の混練・粉砕兼用ブレード７０Ａにおいて可動ブレード７３が存在した箇所に固定ブレード７７を有している。固定ブレード７７は、ブレード回転軸５２が逆方向に回転したときに前縁となる側の縁に粉砕用エッジ７４が形成されているとともに、粉砕用エッジ７４と逆の縁に、垂直に立ち上がる混練用押圧面７８を有する。粉砕用エッジ７４と混練用押圧面７８の上端との間は傾斜面７９となっている。
【００６５】
第２実施形態においても、ブレード回転軸５２を逆方向に回転させて混練・粉砕兼用ブレード７０Ｂに粉砕を行わせ、ブレード回転軸を正方向に回転させて混練を行わせることにより、穀物粒の粉砕からパンの焼成までを、単一のパン容器５０の中で遂行することができる。
【００６６】
以上、本発明の実施形態につき説明したが、本発明の範囲はこれに限定されるものではなく、発明の主旨を逸脱しない範囲で種々の変更を加えて実施することができる。
【産業上の利用可能性】
【００６７】
本発明は、主として一般家庭で使用される自動製パン機に広く利用可能である。
【符号の説明】
【００６８】
１    自動製パン機
１０  本体
１４  原動軸
２０  操作部
３０  蓋
４０  焼成室
５０  パン容器
５２  ブレード回転軸
６０  モータ
７０Ａ  混練・粉砕兼用ブレード
７２  固定ブレード
７３  可動ブレード
７４  粉砕用エッジ
７６  傾斜部
７０Ｂ  混練・粉砕兼用ブレード
７７  固定ブレード
７８  混練用押圧面
７９  傾斜面
８０  制御装置
【図１】
2011050576.tif 000003
【図２】
2011050576.tif 000004
【図３】
2011050576.tif 000005
【図４】
2011050576.tif 000006
【図５】
2011050576.tif 000007
【図６】
2011050576.tif 000008
【図７】
2011050576.tif 000009
【図８】
2011050576.tif 000010
【図９】
2011050576.tif 000011
【図１０】
2011050576.tif 000012
【図１１】
2011050576.tif 000013
【図１２】
2011050576.tif 000014
【図１３】
2011050576.tif 000015
【図１４】
2011050576.tif 000016
【図１５】
2011050576.tif 000017
【図１６】
2011050576.tif 000018
【図１７】
2011050576.tif 000019
【図１８】
2011050576.tif 000020
【図１９】
2011050576.tif 000021